(57)【要約】      （修正有）【課題】表示された画像に対する入力操作が容易な表示装置等を提供する。【解決手段】表示装置１００は、第１表示領域と、部分画像を表示する第２表示領域とを表示し、かつ、少なくとも第２表示領域への入力操作を検出することが可能な第１表示／光センサ部３００と、部分画像に対する入力操作の位置に対応する第１表示領域の位置を算出し、算出した位置に対応する処理を特定する入力検出部８１０とを備える。【選択図】図１
2014035708.tif 000002
【特許請求の範囲】
【請求項１】
第１表示領域と、当該第１表示領域の少なくとも一部を示す部分画像を表示する第２表示領域とを表示し、かつ、少なくとも上記第２表示領域への入力操作を検出することが可能な表示部と、
上記部分画像に対する入力操作の位置に対応する上記第１表示領域の位置を算出し、算出した位置に対応する処理を特定する処理特定手段と、を備えることを特徴とする表示装置。
【請求項２】
ユーザの入力操作に応じて、上記第２表示領域に表示される部分画像を変更する部分画像変更手段をさらに備えることを特徴とする請求項１に記載の表示装置。
【請求項３】
ユーザの入力操作に応じて、上記第２表示領域の位置を変更する位置変更手段をさらに備えることを特徴とする請求項１または２に記載の表示装置。
【請求項４】
ユーザの入力操作に応じて、上記第２表示領域の面積を変更する面積変更手段をさらに備えることを特徴とする請求項１から３の何れか１項に記載の表示装置。
【請求項５】
表示部を備えた表示装置に用いられる処理特定方法であって、
上記表示部は、第１表示領域と、当該第１表示領域の少なくとも一部を示す部分画像を表示する第２表示領域とを表示し、かつ、少なくとも上記第２表示領域への入力操作を検出することが可能であり、
上記部分画像に対する入力操作の位置に対応する上記第１表示領域の位置を算出する算出ステップと、
上記算出ステップにて算出された位置に対応する処理を特定する処理特定ステップと、を含むことを特徴とする処理特定方法。
【請求項６】
表示部を備えた表示装置に用いられる処理特定プログラムであって、
上記表示部は、第１表示領域と、当該第１表示領域の少なくとも一部を示す部分画像を表示する第２表示領域とを表示し、かつ、少なくとも上記第２表示領域への入力操作を検出することが可能であり、
上記部分画像に対する入力操作の位置に対応する上記第１表示領域の位置を算出する算出ステップと、
上記算出ステップにて算出された位置に対応する処理を特定する処理特定ステップと、をコンピュータに実行させるための処理特定プログラム。
【請求項７】
請求項６に記載の処理特定プログラムを記録したコンピュータ読み取り可能な記録媒体。
【発明の詳細な説明】
【技術分野】
【０００１】
本発明は、表示された画像に対する入力操作が容易な表示装置、処理特定方法、処理特定プログラム、およびコンピュータ読み取り可能な記録媒体に関する。
【背景技術】
【０００２】
近年、タッチパネル式の入力装置が広く普及している。その一例として、入力面に対して、指が接触していない状態から接触している状態に変化したときに、接触した指の位置に応じた入力が行われる入力装置が知られている。例えば、特許文献１の表示装置は、ユーザの入力操作を介して、ユーザの指の接触領域の中心を含む部分を拡大表示する。
【先行技術文献】
【特許文献】
【０００３】
【特許文献１】特開２０１０−１４６２７９号公報（２０１０年７月１日公開）
【発明の概要】
【発明が解決しようとする課題】
【０００４】
しかしながら、従来の技術には次のような問題がある。
【０００５】
すなわち、特許文献１等の入力装置では、入力検出に対応する処理はユーザの指が接触した領域に対して行われ、ユーザの指が接触していない領域に対する処理は行われない。そのため、入力可能な大型の表示装置に対して入力操作を行う場合、ユーザは、入力画面が大きいことから、位置を移動しなければ画面内のすべての領域に入力操作（タッチ）することができない。
【０００６】
本発明は、上記の問題を解決するためになされたものであり、その目的は、表示された画像に対する入力操作が容易な表示装置等を提供することにある。
【課題を解決するための手段】
【０００７】
本発明に係る表示装置は、上記の課題を解決するために、第１表示領域と、当該第１表示領域の少なくとも一部を示す部分画像を表示する第２表示領域とを表示し、かつ、少なくとも上記第２表示領域への入力操作を検出することが可能な表示部と、上記部分画像に対する入力操作の位置に対応する上記第１表示領域の位置を算出し、算出した位置に対応する処理を特定する処理特定手段と、を備えることを特徴としている。
【０００８】
本発明に係る処理特定方法は、上記の課題を解決するために、表示部を備えた表示装置に用いられる処理特定方法であって、上記表示部は、第１表示領域と、当該第１表示領域の少なくとも一部を示す部分画像を表示する第２表示領域とを表示し、かつ、少なくとも上記第２表示領域への入力操作を検出することが可能であり、上記部分画像に対する入力操作の位置に対応する上記第１表示領域の位置を算出する算出ステップと、上記算出ステップにて算出された位置に対応する処理を特定する処理特定ステップと、を含むことを特徴としている。
【０００９】
本発明に係る表示装置は、上記の構成を備えることにより、第２表示領域に表示された部分画像に対する入力操作が行われると、処理特定手段によって、部分画像に対する入力操作の位置に対応する上記第１表示領域の位置が算出され、算出された位置に対応する処理が特定される。
【００１０】
つまり、本発明に係る表示装置では、算出した位置に対応する処理を特定するためには、第１表示領域に表示された画像に対して入力操作をする必要はなく、第２表示領域に表示された部分画像に対して入力操作を行えばよい。
【００１１】
したがって、本発明に係る表示装置は、表示部が大きく、第１表示領域に表示された画像に対する入力操作ができないような場合であっても、第２表示領域へ入力操作することにより、算出された位置に対応する処理を特定することができる。
【００１２】
このように、本発明に係る表示装置（処理特定方法）は、表示された画像に対する入力操作が容易であり、それゆえユーザの利便性を高めることができる。
【００１３】
また、本発明に係る表示装置は、ユーザの入力操作に応じて、上記第２表示領域に表示される部分画像を変更する部分画像変更手段をさらに備える構成であってもよい。
【００１４】
上記の構成によれば、部分画像変更手段は、ユーザによる入力操作に応じて部分画像を変更する。ここで、変更とは、たとえば次のような例が挙げられる。第１表示領域に表示されている画像の一部が第２表示領域に表示されているとき、ユーザの入力操作に応じて、それまで第２表示領域に表示されていなかった上記画像の一部とは異なる画像を部分画像として第２表示領域に表示する例が挙げられる。
【００１５】
そして、部分画像変更手段が第２表示領域に表示される部分画像を変更するときに、ユーザは、第２表示領域への入力操作を行えばよく、第１表示領域への入力操作は要求されない。このようにして、本発明に係る表示装置は、ユーザの利便性を高めることができる。
【００１６】
また、本発明に係る表示装置は、ユーザの入力操作に応じて、上記第２表示領域の位置を変更する位置変更手段をさらに備える構成であってもよい。
【００１７】
上記の構成によれば、位置変更手段は、ユーザによる入力操作に応じて第２表示領域の位置を変更する。これにより、ユーザは、入力操作を行うユーザの位置が移動する場合であっても、その移動先に第２表示領域の位置を変更することにより、移動先においても第２表示領域への入力操作を行うことができる。
【００１８】
これは、例えば表示部が大画面であり、その表示部の前でユーザが位置の移動を伴うプレゼンテーションを行う場合などに有効である。このようにして、本発明に係る表示装置は、ユーザの利便性を高めることができる。
【００１９】
また、本発明に係る表示装置は、ユーザの入力操作に応じて、上記第２表示領域の面積を変更する面積変更手段をさらに備える構成であってもよい。
【００２０】
上記の構成によれば、面積変更手段は、ユーザによる入力操作に応じて第２表示領域の面積を変更する。これにより、本発明に係る表示装置は、第２表示領域が狭いために部分画像が小さく表示されている場合には、ユーザの入力操作を介して第２表示領域を拡大することができる。また、第２表示領域が広いために部分画像が大きく表示されている場合には、第２表示領域を縮小することができる。
【００２１】
このようにして、本発明に係る表示装置は、そのときの状況やユーザの嗜好などに応じて第２表示領域の面積を変更することができる。
【００２２】
なお、上記表示装置は、コンピュータによって実現してもよく、この場合には、コンピュータを上記各ステップとして動作させることにより上記表示装置をコンピュータにて実現させる処理特定プログラム、およびそれを記録したコンピュータ読み取り可能な記録媒体も、本発明の範疇に入る。
【発明の効果】
【００２３】
本発明に係る表示装置は、以上のように、第１表示領域と、当該第１表示領域の少なくとも一部を示す部分画像を表示する第２表示領域とを表示し、かつ、少なくとも上記第２表示領域への入力操作を検出することが可能な表示部と、上記部分画像に対する入力操作の位置に対応する上記第１表示領域の位置を算出し、算出した位置に対応する処理を特定する処理特定手段とを備える構成である。
【００２４】
また、本発明に係る処理特定方法は、表示部を備えた表示装置に用いられる処理特定方法であって、上記表示部は、第１表示領域と、当該第１表示領域の少なくとも一部を示す部分画像を表示する第２表示領域とを表示し、かつ、少なくとも上記第２表示領域への入力操作を検出することが可能であり、上記部分画像に対する入力操作の位置に対応する上記第１表示領域の位置を算出する算出ステップと、上記算出ステップにて算出された位置に対応する処理を特定する処理特定ステップと、を含む構成である。
【００２５】
それゆえ、表示された画像に対する入力操作が容易になるという効果を奏する。
【図面の簡単な説明】
【００２６】
【図１】本発明の一実施形態に係る表示装置の要部構成を表すブロック図である。
【図２】本発明の一実施形態に係る表示装置が備えるセンサ内蔵液晶パネルの断面を模式的に示す図である。
【図３】（ａ）は、本発明の一実施形態に係る表示装置が備えるセンサ内蔵液晶パネルにて反射像を検知することにより、ユーザがタッチした位置を検出する様子を示す模式図である。（ｂ）は、本発明の一実施形態に係る表示装置が備えるセンサ内蔵液晶パネルにて影像を検知することにより、ユーザがタッチした位置を検出する様子を示す模式図である。
【図４】本発明の一実施形態に係る表示装置の要部構成を示すブロック図である。
【図５】（ａ）は、本発明の一実施形態に係る表示装置にて、対象物がセンサ内蔵液晶パネル上に置かれていないときに、センサ内蔵液晶パネル全体をスキャンした結果として得られる画像データである。（ｂ）は、本発明の一実施形態に係る表示装置にて、ユーザが指でセンサ内蔵液晶パネルをタッチしているときに、スキャンした結果として得られる画像データである。
【図６】本発明の一実施形態に係る表示装置が備えるセンサ内蔵液晶パネルの構成およびその周辺回路の構成を示すブロック図である。
【図７】第２表示領域において実行される動作を説明するための図であり、（ａ）はユーザの入力操作前を、（ｂ）はユーザの入力操作後の状態をそれぞれ示す図である。
【図８】第２表示領域に表示される画像を変更するための方法を説明するための図である。
【図９】本実施の形態に係る表示装置の処理の流れを表すフローチャートである。
【図１０】第２表示領域において実行される動作を説明するための図である。
【図１１】第２表示領域の面積を拡大する動作を説明するための図である。
【図１２】第２表示領域において実行される動作を説明するための図である。
【図１３】第２表示領域の表示位置を移動する動作を説明するための図である。
【発明を実施するための形態】
【００２７】
本実施の形態について図１〜図１３に基づいて説明すると以下の通りである。
【００２８】
本実施の形態に係る表示装置１００は、概略的に言えば、第１表示領域１０と、第１表示領域１０の少なくとも一部を示す部分画像を表示する第２表示領域２０とを表示し、かつ、少なくとも第２表示領域２０への入力操作を検出することが可能な第１表示／光センサ部（表示部）３００と、部分画像に対する入力操作の位置に対応する第１表示領域１０の位置を算出し、算出した位置に対応する処理を特定する入力検出部（処理特定手段）８１０とを備える装置である。
【００２９】
そこで、まず、表示装置１００に含まれるセンサ内蔵液晶パネル３０１の概要について説明する。但し、表示装置１００は、必ずしもセンサ内蔵液晶パネル３０１を使用する必要はなく、他のタッチパネル（例えば抵抗膜方式）を使用する構成であってもよい。
【００３０】
（センサ内蔵液晶パネルの概要）
センサ内蔵液晶パネル３０１は、データの表示に加え、対象物の画像検出が可能な液晶パネルである。ここで、対象物の画像検出とは、例えば、ユーザが指やペンなどでポインティング（タッチ）した位置の検出や、印刷物等の画像の読み取り（スキャン）である。なお、表示に用いるデバイスは、液晶パネルに限定されるものではなく、有機ＥＬ（Electro Luminescence）パネルなどであってもよい。
【００３１】
図２を参照しながら、センサ内蔵液晶パネル３０１の構造について説明する。図２は、センサ内蔵液晶パネル３０１の断面を模式的に示す図である。なお、ここで説明するセンサ内蔵液晶パネル３０１は一例であり、表示面と読取面とが共用されているものであれば、任意の構造のものが利用できる。
【００３２】
図示のとおり、センサ内蔵液晶パネル３０１は、背面側に配置されるアクティブマトリクス基板５１Ａと、表面側に配置される対向基板５１Ｂとを備え、これら基板の間に液晶層５２を挟持した構造を有している。アクティブマトリクス基板５１Ａには、画素電極５６、データ信号線５７、光センサ回路３２（図示せず）、配向膜５８、偏光板５９などが設けられる。対向基板５１Ｂには、カラーフィルタ５３ｒ（赤）、５３ｇ（緑）、５３ｂ（青）、遮光膜５４、対向電極５５、配向膜５８、偏光板５９などが設けられる。また、センサ内蔵液晶パネル３０１の背面には、バックライト３０７が設けられている。
【００３３】
なお、光センサ回路３２に含まれるフォトダイオード６は、青のカラーフィルタ５３ｂを設けた画素電極５６の近傍に設けられているが、この構成に限定されるものではない。赤のカラーフィルタ５３ｒを設けた画素電極５６の近傍に設けてもよいし、緑のカラーフィルタ５３ｇを設けた画素電極５６の近傍に設けてもよい。
【００３４】
次に、図３（ａ）および図３（ｂ）を参照しながら、ユーザが、指やペンで、センサ内蔵液晶パネル３０１上をタッチした位置を検出する２種類の方法について説明する。
【００３５】
図３（ａ）は、反射像を検知することにより、ユーザがタッチした位置を検出する様子を示す模式図である。バックライト３０７から光６３が出射されると、フォトダイオード６を含む光センサ回路３２は、指などの対象物６４により反射された光６３を検知する。これにより、対象物６４の反射像を検知することができる。このように、センサ内蔵液晶パネル３０１は、反射像を検知することにより、タッチした位置を検出することができる。
【００３６】
また、図３（ｂ）は、影像を検知することにより、ユーザがタッチした位置を検出する様子を示す模式図である。図３（ｂ）に示すように、フォトダイオード６を含む光センサ回路３２は、対向基板５１Ｂなどを透過した外光６１を検知する。しかしながら、ペンなどの対象物６２がある場合は、外光６１の入射が妨げられるので、光センサ回路３２が検知する光量が減る。これにより、対象物６２の影像を検知することができる。このように、センサ内蔵液晶パネル３０１は、影像を検知することにより、タッチした位置を検出することもできる。
【００３７】
上述のように、フォトダイオード６は、バックライト３０７より出射された光の反射光（影像）を検知してもよいし、外光による影像を検知してもよい。また、２種類の検知方法を併用して、影像と反射像とを両方を同時に検知するようにしてもよい。
【００３８】
（表示装置の要部構成）
次に、図４を参照しながら、表示装置１００の要部構成について説明する。図４は、表示装置１００の要部構成を示すブロック図である。図示のように、表示装置１００は、表示／光センサ部３００、回路制御部６００、データ処理部７００、主制御部８００、記憶部９０１、一次記憶部９０２、操作部９０３、外部通信部９０７、音声出力部９０８、および音声入力部９０９を備えている。
【００３９】
表示／光センサ部３００は、いわゆる光センサ内蔵液晶表示装置である。表示／光センサ部３００は、センサ内蔵液晶パネル３０１、バックライト３０７、それらを駆動するための周辺回路３０９を含んで構成される。
【００４０】
センサ内蔵液晶パネル３０１は、マトリクス状に配置された複数の画素回路３１および光センサ回路３２を含んで構成される。センサ内蔵液晶パネル３０１の詳細な構成については後述する。
【００４１】
周辺回路３０９は、液晶パネル駆動回路３０４、光センサ駆動回路３０５、信号変換回路３０６、バックライト駆動回路３０８を含む。
【００４２】
液晶パネル駆動回路３０４は、回路制御部６００の表示制御部６０１からのタイミング制御信号（ＴＣ１）およびデータ信号（Ｄ）に従って、制御信号（Ｇ）およびデータ信号（Ｓ）を出力し、画素回路３１を駆動する回路である。画素回路３１の駆動方法の詳細については後述する。
【００４３】
光センサ駆動回路３０５は、回路制御部６００のセンサ制御部６０２からのタイミング制御信号（ＴＣ２）に従って、信号線（Ｒ）に電圧を印加し、光センサ回路３２を駆動する回路である。光センサ回路３２の駆動方法の詳細については後述する。
【００４４】
信号変換回路３０６は、光センサ回路３２から出力されるセンサ出力信号（ＳＳ）をデジタル信号（ＤＳ）に変換し、該変換後の信号をセンサ制御部６０２に送信する回路である。
【００４５】
バックライト３０７は、複数の白色ＬＥＤ（Light Emitting Diode）を含んでおり、センサ内蔵液晶パネル３０１の背面に配置される。そして、バックライト駆動回路３０８から電源電圧が印加されると、バックライト３０７は点灯し、センサ内蔵液晶パネル３０１に光を照射する。なお、バックライト３０７は、白色ＬＥＤに限らず、他の色のＬＥＤを含んでいてもよい。また、バックライト３０７は、ＬＥＤに代えて、例えば、冷陰極管（ＣＣＦＬ：Cold Cathode Fluorescent Lamp）を含むものであってもよい。
【００４６】
バックライト駆動回路３０８は、回路制御部６００のバックライト制御部６０３からの制御信号（ＢＫ）がハイレベルであるときは、バックライト３０７に電源電圧を印加し、逆に、バックライト制御部６０３からの制御信号がローレベルであるときは、バックライト３０７に電源電圧を印加しない。
【００４７】
次に、回路制御部６００について説明する。回路制御部６００は、表示／光センサ部３００の周辺回路３０９を制御するデバイスドライバとしての機能を備えるものである。回路制御部６００は、表示制御部６０１、センサ制御部６０２、バックライト制御部６０３、および表示データ記憶部６０４を備えている。
【００４８】
表示制御部６０１は、データ処理部７００の表示データ処理部７０１から表示データを受信するとともに、表示データ処理部７０１からの指示に従って、表示／光センサ部３００の液晶パネル駆動回路３０４に、タイミング制御信号（ＴＣ１）およびデータ信号（Ｄ）を送信し、前記受信した表示データをセンサ内蔵液晶パネル３０１に表示させる。
【００４９】
なお、表示制御部６０１は、表示データ処理部７０１から受信した表示データを、表示データ記憶部６０４に一次記憶させる。そして、当該一次記憶させた表示データに基づいて、データ信号（Ｄ）を生成する。表示データ記憶部６０４は、例えば、ＶＲＡＭ（video random access memory）などである。
【００５０】
センサ制御部６０２は、データ処理部７００のセンサデータ処理部７０３からの指示に従って、表示／光センサ部３００の光センサ駆動回路３０５に、タイミング制御信号（ＴＣ２）を送信し、センサ内蔵液晶パネル３０１にてスキャンを実行させる。
【００５１】
また、センサ制御部６０２は、信号変換回路３０６からデジタル信号（ＤＳ）を受信する。そして、センサ内蔵液晶パネル３０１に含まれる全ての光センサ回路３２から出力されたセンサ出力信号（ＳＳ）に対応するデジタル信号（ＤＳ）に基づいて、画像データを生成する。つまり、センサ内蔵液晶パネル３０１の読み取り領域全体で読み取った画像データを生成する。そして、該生成した画像データをセンサデータ処理部７０３に送信する。
【００５２】
バックライト制御部６０３は、表示データ処理部７０１およびセンサデータ処理部７０３からの指示に従って、表示／光センサ部３００のバックライト駆動回路３０８に制御信号（ＢＫ）を送信し、バックライト３０７を駆動させる。
【００５３】
次に、データ処理部７００について説明する。データ処理部７００は、主制御部８００から受信するコマンドに基づいて、回路制御部６００に指示を与えるミドルウェアとしての機能を備えるものである。
【００５４】
データ処理部７００は、表示データ処理部７０１およびセンサデータ処理部７０３を備えている。そして、データ処理部７００が、主制御部８００からコマンドを受信すると、該受信したコマンドに含まれる各フィールドの値に応じて、表示データ処理部７０１およびセンサデータ処理部７０３の少なくとも一方が動作する。
【００５５】
表示データ処理部７０１は、主制御部８００から表示データを受信するとともに、データ処理部７００が受信したコマンドに従って、表示制御部６０１およびバックライト制御部６０３に指示を与え、前記受信した表示データをセンサ内蔵液晶パネル３０１に表示させる。
【００５６】
センサデータ処理部７０３は、データ処理部７００が受信したコマンドに従って、センサ制御部６０２およびバックライト制御部６０３に指示を与える。
【００５７】
また、センサデータ処理部７０３は、センサ制御部６０２から画像データを受信し、当該画像データをそのまま画像データバッファ７０４に格納する。そして、センサデータ処理部７０３は、データ処理部７００が受信したコマンドに従って、画像データバッファ７０４に記憶されている画像データに基づいて、「全体画像データ」、「部分画像データ（部分画像の座標データを含む）」、および「座標データ」の少なくともいずれか１つを、主制御部８００に送信する。なお、全体画像データ、部分画像データ、および座標データについては、後述する。
【００５８】
次に、主制御部８００は、アプリケーションプログラムを実行するものである。主制御部８００は、記憶部９０１に格納されているプログラムを、例えばＲＡＭ（Random Access Memory）等で構成される一次記憶部９０２に読み出して実行する。
【００５９】
主制御部８００で実行されるアプリケーションプログラムは、センサ内蔵液晶パネル３０１に表示データを表示させたり、センサ内蔵液晶パネル３０１にて対象物のスキャンを行わせるために、データ処理部７００に対して、コマンドおよび表示データを送信する。また、コマンドに「データ種別」を指定した場合は、当該コマンドの応答として、全体画像データ、部分画像データ、および座標データの少なくともいずれか１つを、データ処理部７００から受信する。
【００６０】
なお、回路制御部６００、データ処理部７００、および主制御部８００は、それぞれ、ＣＰＵ（Central Processing Unit）およびメモリ等で構成することができる。また、データ処理部７００は、ＡＳＩＣ（application specific integrate circuit）などの回路で構成されていてもよい。
【００６１】
次に、記憶部９０１は、図示のように、主制御部８００が実行するプログラムおよびデータを格納するものである。なお、主制御部８００が実行するプログラムは、アプリケーション固有のプログラムと、各アプリケーションが共用可能な汎用プログラムとに分離されていてもよい。
【００６２】
次に、操作部９０３は、表示装置１００のユーザの入力操作を受けつけるものである。操作部９０３は、例えば、スイッチ、リモコン、マウス、キーボードなどの入力デバイスで構成される。そして、操作部９０３は、表示装置１００のユーザの入力操作に応じた制御信号を生成し、該生成した制御信号を主制御部８００へ送信する。
【００６３】
なお、前記スイッチの例としては、電源のオンとオフとを切り替える電源スイッチ９０５、予め所定の機能が割り当てられているユーザスイッチ９０６などのハードウェアスイッチを想定している。
【００６４】
その他、表示装置１００は、無線／有線通信によって外部装置と通信を行なうための外部通信部９０７、音声を出力するためのスピーカ等の音声出力部９０８、音声信号を入力するためのマイク等の音声入力部９０９などを適宜備えていてもよい。
【００６５】
（全体画像データ／部分画像データ／座標データ）
次に、図５を参照しながら、全体画像データ、部分画像データ、および座標データについて、例を挙げて説明する。図５（ａ）に示す画像データは、対象物が第２表示領域２０上に置かれていないときに得られる画像データである。また、図５（ｂ）に示す画像データは、ユーザが指で第２表示領域２０上をタッチしているときの画像データである。
【００６６】
ユーザが指で第２表示領域２０上をタッチしたとき、当該タッチした近傍の光センサ回路３２が受光する光量が変化するため、当該光センサ回路３２が出力する電圧に変化が生じ、その結果として、センサ制御部６０２が生成する画像データのうち、ユーザがタッチした部分の画素値の明度に変化が生じることとなる。
【００６７】
図５（ｂ）に示す画像データでは、図５（ａ）に示す画像データと比べると、ユーザの指に該当する部分の画素値の明度が高くなっている。そして、図５（ｂ）に示す画像データにおいて、明度が所定の閾値より大きく変化している画素値を全て含む最小の矩形領域（領域ＰＰ）が、“部分画像データ”である。
【００６８】
なお、領域ＡＰで示される画像データが、“全体画像データ”である。
【００６９】
また、部分画像データ（領域ＰＰ）の代表座標Ｚの、全体画像データ（領域ＡＰ）における座標データは（Ｘａ,Ｙａ）であり、部分画像データ（領域ＰＰ）における座標データは（Ｘｐ,Ｙｐ）である。
【００７０】
（センサ内蔵液晶パネルの構成）
次に、図６を参照しながら、センサ内蔵液晶パネル３０１の構成、および、センサ内蔵液晶パネル３０１の周辺回路３０９の構成について説明する。図６は、表示／光センサ部３００の要部、特に、センサ内蔵液晶パネル３０１の構成および周辺回路３０９の構成を示すブロック図である。
【００７１】
センサ内蔵液晶パネル３０１は、光透過率（輝度）を設定するための画素回路３１、および、自身が受光した光の強度に応じた電圧を出力する光センサ回路３２を備えている。なお、画素回路３１は、赤色、緑色、青色のカラーフィルタのそれぞれに対応するＲ画素回路３１ｒ、Ｇ画素回路３１ｇ、Ｂ画素回路３１ｂの総称して用いる。
【００７２】
画素回路３１は、センサ内蔵液晶パネル３０１上の列方向（縦方向）にｍ個、行方向（横方向）にｎ個配置される。そして、Ｒ画素回路３１ｒ、Ｇ画素回路３１ｇ、およびＢ画素回路３１ｂの組が、行方向（横方向）に連続して配置される。この組が１つの画素を形成する。
【００７３】
画素回路３１の光透過率を設定するには、まず、画素回路３１に含まれるＴＦＴ（Thin Film Transistor）３３のゲート端子に接続される走査信号線Ｇiにハイレベル電圧（ＴＦＴ３３をオン状態にする電圧）を印加する。その後、Ｒ画素回路３１ｒのＴＦＴ３３のソース端子に接続されているデータ信号線ＳＲｊに、所定の電圧を印加する。同様に、Ｇ画素回路３１ｇおよびＢ画素回路３１ｂについても、光透過率を設定する。そして、これらの光透過率を設定することにより、センサ内蔵液晶パネル３０１上に画像が表示される。
【００７４】
次に、光センサ回路３２は、一画素毎に配置される。なお、Ｒ画素回路３１ｒ、Ｇ画素回路３１ｇ、およびＢ画素回路３１ｂのそれぞれの近傍に１つずつ配置されてもよい。
【００７５】
光センサ回路３２にて光の強度に応じた電圧を出力させるためには、まず、コンデンサ３５の一方の電極に接続されているセンサ読み出し線ＲＷiと、フォトダイオード６のアノード端子に接続されているセンサリセット線ＲＳiとに所定の電圧を印加する。この状態において、フォトダイオード６に光が入射されると、入射した光量に応じた電流がフォトダイオード６に流れる。そして、当該電流に応じて、コンデンサ３５の他方の電極とフォトダイオード６のカソード端子との接続点（以下、接続ノードＶ）の電圧が低下する。そして、センサプリアンプ３７のドレイン端子に接続される電圧印加線ＳＤｊに電源電圧ＶＤＤを印加すると、接続ノードＶの電圧は増幅され、センサプリアンプ３７のソース端子からセンシングデータ出力線ＳＰｊに出力される。そして、当該出力された電圧に基づいて、光センサ回路３２が受光した光量を算出することができる。
【００７６】
次に、センサ内蔵液晶パネル３０１の周辺回路である、液晶パネル駆動回路３０４、光センサ駆動回路３０５、およびセンサ出力アンプ４４について説明する。
【００７７】
液晶パネル駆動回路３０４は、画素回路３１を駆動するための回路であり、走査信号線駆動回路３０４１およびデータ信号線駆動回路３０４２を含んでいる。
【００７８】
走査信号線駆動回路３０４１は、表示制御部６０１から受信したタイミング制御信号ＴＣ１に基づいて、１ライン時間毎に、走査信号線Ｇ１〜Ｇｍの中から１本の走査信号線を順次選択し、該選択した走査信号線にハイレベル電圧を印加するとともに、その他の走査信号線にローレベル電圧を印加する。
【００７９】
データ信号線駆動回路３０４２は、表示制御部６０１から受信した表示データＤ（ＤＲ、ＤＧ、およびＤＢ）に基づいて、１ライン時間毎に、１行分の表示データに対応する所定の電圧を、データ信号線ＳＲ１〜ＳＲｎ、ＳＧ１〜ＳＧｎ、ＳＢ１〜ＳＢｎに印加する（線順次方式）。なお、データ信号線駆動回路３０４２は、点順次方式で駆動するものであってもよい。
【００８０】
光センサ駆動回路３０５は、光センサ回路３２を駆動するための回路である。光センサ駆動回路３０５は、センサ制御部６０２から受信したタイミング制御信号ＴＣ２に基づいて、センサ読み出し信号線ＲＷ１〜ＲＷｍの中から、１ライン時間毎に１本ずつ選択したセンサ読み出し信号線に所定の読み出し用電圧を印加するとともに、その他のセンサ読み出し信号線には、所定の読み出し用電圧以外の電圧を印加する。また、同様に、タイミング制御信号ＴＣ２に基づいて、センサリセット信号線ＲＳ１〜ＲＳｍの中から、１ライン時間毎に１本ずつ選択したセンサリセット信号線に所定のリセット用電圧を印加するとともに、その他のセンサリセット信号線には、所定のリセット用電圧以外の電圧を印加する。
【００８１】
センシングデータ出力信号線ＳＰ１〜ＳＰｎはｐ個（ｐは１以上ｎ以下の整数）のグループにまとめられ、各グループに属するセンシングデータ出力信号線は、時分割で順次オン状態になるスイッチ４７を介して、センサ出力アンプ４４に接続される。センサ出力アンプ４４は、スイッチ４７により接続されたセンシングデータ出力信号線のグループからの電圧を増幅し、センサ出力信号ＳＳ（ＳＳ１〜ＳＳｐ）として、信号変換回路３０６へ出力する。
（表示装置１００の動作説明）
次に、表示装置１００の構成等について、図１、図７〜図９を参照して説明する。最初に、表示装置１００による動作の具体例を図７により説明する。次に、表示装置１００の要部構成を図１により説明する。そして、その動作を実現する処理の流れを図８により説明する。
【００８２】
（表示装置１００による動作の具体例１）
図７は、第２表示領域２０において実行される動作を説明するための図であり、図７（ａ）はユーザの入力操作前を、図７（ｂ）はユーザの入力操作後の状態をそれぞれ示す図である。
【００８３】
図７（ａ）に示すように、第１表示／光センサ部３００には第１表示領域１０と第２表示領域２０とが表示されている。また、第１表示領域１０には画像Ａが、第２表示領域２０には、第１表示領域の少なくとも一部を示す部分画像Ａ１が表示されている。なお、画像Ａ１は、画像Ａの右上部分に該当し、画面から画像Ａの表示を消すための「×」の印を画像中に含む。
【００８４】
図７（ｂ）においては、第１表示領域１０には画像Ａが、第２表示領域２０には第１表示領域の少なくとも一部を示す部分画像Ａ２が表示されている。なお、画像Ａ２は、画像Ａの左上部分に該当し、「開く  印刷」という文字を画像中に含む。
【００８５】
つまり、図７（ａ）の表示から図７（ｂ）の表示への変化は、第２表示領域２０において表示される画像が、画像Ａの右上画像から左上画像へ変更された変化に対応する。この変更をもたらすために、ユーザは、第２表示領域２０に指やペンをタッチして、そのタッチした指などを右側の方向に移動するという入力操作を行う。このとき、ユーザは、第２表示領域２０の任意の位置において入力操作を行ってよい。あるいは、第２表示領域２０にける表示画像の変更は、次のように行われてもよく、そのことを図８により説明する。
【００８６】
図８は、第２表示領域２０に表示される画像を変更するための方法を説明するための図である。図８に示すように、第２表示領域２０の境界を形成する四辺の近傍には領域２０ａが存在する。この領域２０ａは、ユーザの入力操作を検出することが可能である。ユーザは、領域２０ａに入力操作を行うことで第２表示領域２０に表示される部分画像を変更する。例えば、領域２０ａの下辺付近を右側へなぞる入力操作が行われると、もともとは第２表示領域２０に表示されていなかった画像Ａの左側の画像が第２表示領域２０に表示される。一方、領域２０ａの下辺付近を左側へなぞる入力操作が行われると、第２表示領域２０に表示されていなかった画像Ａの右側の画像が第２表示領域２０に表示される。
【００８７】
同様に、領域２０ａの右辺を上側へなぞる入力操作が行われると、ユーザの入力操作に応じて、それまで第２表示領域に表示されていなかった画像Ａの一部（下側部分）が第２表示領域に表示される。また、領域２０ａの右辺を下側へなぞる入力操作が行われると、ユーザの入力操作に応じて、それまで第２表示領域に表示されていなかった画像Ａの一部（上側部分）が第２表示領域に表示される。
【００８８】
このようにして、第２表示領域２０の境界を形成する四辺の近傍の領域２０ａへの入力操作を介して、第２表示領域２０に表示される画像を変更することも可能である。
【００８９】
（表示装置１００の要部説明）
次に、図１を参照しながら、表示装置１００の詳細な構成を説明する。なお、ここでは、説明を分かりやすくするために、主制御部８００と表示／光センサ部３００との間に位置するデータ処理部７００および回路制御部６００の動作については説明を省略する。ただし、正確には、画像の表示および画像の検知を行うにあたり、主制御部８００の入力インターフェース制御部８０５が、データ処理部７００にコマンドを送信し、データ処理部７００がコマンドに基づいて回路制御部６００を制御し、回路制御部６００が表示／光センサ部３００に対して信号を送信する。また、主制御部８００は、データ処理部７００に対して送信したコマンドに対する応答として、データ処理部７００から、全体画像データ、部分画像データ、および座標データを取得する。
【００９０】
図１は、表示装置１００の要部構成を表すブロック図である。図示するように、主制御部８００は、入力インターフェース制御部８０５と、アプリケーション実行部８５０と、を備える。また、入力インターフェース制御部８０５は、入力検出部８１０と、画像表示制御部８６０と、を備える。
【００９１】
入力検出部８１０は、第２表示領域２０に対する指やペンなどの入力操作が検知されたとき、座標データ、全体画像データ、部分画像データをデータ処理部７００から取得する。第２表示領域２０にはＸ軸、Ｙ軸が設定されており（図５等参照）、入力検出部８１０は、第２表示領域２０において検知された指の像の動きをＸＹ座標により特定し、そのＸＹ座標に対応する入力信号を生成する。そして、入力検出部８１０は、その入力信号をアプリケーション実行部８５０に出力する。
【００９２】
なお、入力検出部８１０は、そのＸＹ座標を示す情報をそのまま入力信号としてアプリケーション実行部８５０に出力してもよい。あるいは、入力検出部８１０は、後述する指−命令対応情報に基づいて、特定したＸＹ座標に対応付けられた命令を示す入力信号をアプリケーション実行部８５０に出力してもよい。
【００９３】
ここで、入力検出部８１０は、座標データ、全体画像データ、部分画像データをすべて取得する必要はなく、上記各データを適宜選択して取得する構成であってもよい。
【００９４】
次に、入力検出部８１０が記憶部９０１から読み出す指−命令対応情報について説明する。なお、図１では、記憶部９０１は表示装置１００の外部に設けられている。しかしながら、記憶部９０１は、表示装置１００の内部に設けられる構成であってもよい。
【００９５】
記憶部９０１には、指−命令対応情報を示すテーブルが格納されており、そのテーブルでは、２つの項目（ＸＹ座標、命令）が対応付けられている。具体的に、第２表示領域２０にはＸ軸、Ｙ軸が設定されており、入力検出部８１０は、第２表示領域２０が検知した指の像の動きをＸＹ座標により特定する。そして、入力検出部８１０は、その特定したＸＹ座標から、指の像の動きを移動ベクトルとして算出する。具体的には、図５を参照して説明したように、部分画像データ（領域ＰＰ）の代表座標Ｚの、全体画像データ（領域ＡＰ）における座標データは（Ｘａ,Ｙａ）で表され、部分画像データ（領域ＰＰ）における座標データは（Ｘｐ,Ｙｐ）として表される。従って、入力検出部８１０は、親指の像の移動前後における上記座標データを取得して、その座標データの差分を計算することにより、親指の像の移動ベクトルを算出することができる。
【００９６】
そして、入力検出部８１０は、指−命令対応情報において、ＸＹ座標に対応する “命令”項目を読み出す。対応する命令が「移動ベクトルに従って第２表示領域の画像を変更する」と規定されていれば、入力検出部８１０は、ＸＹ座標が対応付けられた当該命令を決定し、その命令を示す入力信号をアプリケーション実行部８５０に送信する。
【００９７】
一例として、図８の動作について説明する。まず、図８に示すように、ユーザが、領域２０ａの下辺付近に人差し指でタッチしたとする。このとき、入力検出部８１０は、人差し指の座標データ（Ｘａ,Ｙａ）（図５参照）から、人差し指が領域２０ａの下辺付近にタッチしたと判断する。この下辺付近の座標データ（Ｘａ,Ｙａ）には、第２表示領域２０に表示される画像を左右方向に移動させるという命令が対応付けられている。ここで、第２表示領域２０に表示される画像は、第１表示領域１０に表示されている画像の少なくとも一部を示す部分画像である。
【００９８】
次に、ユーザは、その指を右方向に一定量移動させる。入力検出部８１０は、その指の像の動きから当該像の動きに係るＸＹ座標を取得し、その移動ベクトルを算出する。そして、入力検出部８１０は、その移動ベクトルに従って第２表示領域２０に表示される画像を移動させる命令を示す入力信号を生成し、その入力信号をアプリケーション実行部８５０に送信する。
【００９９】
このようにして、入力検出部８１０は、指−命令対応情報に基づいて、特定したＸＹ座標が対応付けられた命令を決定し、該命令を示す入力信号をアプリケーション実行部８５０に送信する。言い換えると、入力検出部８１０は、第２表示領域２０に表示された部分画像に対する入力操作の位置に対応する第１表示領域１０の位置を算出し、算出した位置に対応する処理を特定する。「処理」とは、図８の例で言えば画像の変更である。あるいは、図７（ｂ）の第２表示領域２０に表示されている「開く  印刷  閉じる」のうち、例えば「印刷」の領域に対して指を押下する入力操作を行うとする。これにより第１表示領域１０の表示画面の印刷が行われる。この場合であれば、「処理」は、印刷である。
【０１００】
アプリケーション実行部８５０は、入力検出部８１０から入力信号を受信して、その命令によって示される動作を実行する。そして、アプリケーション実行部８５０は、その動作の結果を示す情報である動作結果情報を画像表示制御部８６０に送信する。
【０１０１】
例えば、第２表示領域２０が検知した指の像がＡ点からＢ点に移動し、その指の像の動きに対応付けられた命令が、「指の像がＡ点からＢ点へ移動した時の移動ベクトルに従って画像を移動させる」である場合、アプリケーション実行部８５０は、第２表示領域２０に表示される画像を移動ベクトルに従って移動させる。そして、アプリケーション実行部８５０は、その動作の結果を示す動作結果情報を画像表示制御部８６０に送信する。
【０１０２】
なお、図１において、アプリケーション実行部８５０は主制御部８００に含まれる構成で記載されている。しかしながら、主制御部８００の外部にアプリケーション実行部８５０を設けて、外部通信部９０７を介して、所定の動作を実行する構成としてもよい。また、アプリケーション実行部８５０は、１または複数のアプリケーションを実行するものであってよい。
【０１０３】
画像表示制御部８６０は、アプリケーション実行部８５０から動作結果情報を受信すると、データ処理部７００に表示データを送信する。その表示データは、アプリケーション実行部８５０によって実行された動作結果を第２表示領域２０に表示するようデータ処理部７００に指示するものである。
【０１０４】
従って、「第２表示領域に表示された画像を移動させる」という動作がアプリケーション実行部８５０によって実行された場合、画像表示制御部８６０は、データ処理部７００にその旨を示す表示データを送信する。そして、その結果として動作が、第２表示領域２０に表示される。
【０１０５】
（フローチャート）
次に、表示装置１００での処理の流れを図９により説明する。図９は、表示装置１００の処理の流れを表すフローチャートである。
【０１０６】
まず、Ｓ１０では、第１表示領域１０に画像Ａが表示され、第２表示領域２０に画像Ａの部分画像が表示される。
【０１０７】
Ｓ２０では、第２表示領域２０への入力操作がユーザにより行われる。この入力操作は、例えば図８を用いて説明した、領域２０ａの下辺付近を右側へ指でなぞる入力操作である。
【０１０８】
Ｓ３０では、Ｓ２０におけるユーザの入力操作の結果、入力検出部８１０が、第２表示領域２０において指の像が検知されたとき、座標データ、全体画像データ、部分画像データをデータ処理部７００から取得する。
【０１０９】
Ｓ４０では、入力検出部８１０が、第２表示領域２０に表示された部分画像に対する入力操作の位置に対応する第１表示領域１０の位置を算出し（算出ステップ）、算出した位置に対応する処理を特定する（処理特定ステップ）。ここで、「処理」とは、第２表示領域２０に表示される画像の変更、第１表示領域１０に表示される画像の印刷などである。
【０１１０】
Ｓ５０では、入力検出部８１０が、生成した入力信号をアプリケーション実行部８５０に出力する。具体的に、入力検出部８１０は、指−命令対応情報に基づいて、特定したＸＹ座標に対応付けられた命令を示す入力信号をアプリケーション実行部８５０に出力する。
【０１１１】
Ｓ６０では、アプリケーション実行部８５０は、入力検出部８１０から入力信号を受信して、その命令によって示される動作を実行する。そして、アプリケーション実行部８５０は、その動作の結果を示す情報である動作結果情報を画像表示制御部８６０に送信する。
【０１１２】
Ｓ７０では、画像表示制御部８６０は、アプリケーション実行部８５０から動作結果情報を受信すると、データ処理部７００に表示データを送信する。その表示データは、アプリケーション実行部８５０によって実行された動作結果を第２表示領域２０に表示するようデータ処理部７００に指示するものである。これにより、上記動作結果が第２表示領域２０に表示される。
【０１１３】
（効果）
次に、表示装置１００による効果を説明する。
【０１１４】
従来の入力可能な表示装置は、サイズが大きければ、ユーザは自身の体を移動させなければ表示部の上方への入力操作ができず、入力操作に不都合が生じる場合があった。
【０１１５】
しかしながら、表示装置１００は、第２表示領域２０に表示された部分画像に対する入力操作が行われると、入力検出部８１０により、部分画像に対する入力操作の位置に対応する第１表示領域１０の位置が算出され、算出された位置に対応する処理が特定される。つまり、表示装置１００では、算出した位置に対応する処理を特定するためには、第１表示領域１０に表示された画像に対して入力操作をする必要はなく、第２表示領域２０に表示された部分画像に対して入力操作を行えばよい。
【０１１６】
従って、表示装置１００の表示部である第１表示／光センサ部３００が大型であったとしても、表示装置１００では、第１表示領域１０に表示される画像の少なくとも一部が第２表示領域２０に表示され、第２表示領域２０への入力操作をすればよい。このとき、第２表示領域２０への入力操作は、第１表示領域１０に対する入力操作と同様の結果をもたらす。したがって、第１表示／光センサ部３００のサイズが大きい場合にも、ユーザは、自身の体を移動させることなく、第２表示領域２０への入力操作を行うことにより第１表示領域１０に対する入力操作と同様の効果を実現できる。これにより、表示装置１００は、ユーザビリティーを高めることができる。
【０１１７】
それゆえ、表示装置１００は、自装置が壁掛けスタイルで設置される場合、つまり、ユーザによる高い位置への入力操作（タッチ）が困難な場合に好適に用いられる。また、表示装置１００は、自装置がテーブル状に設置された場合に、つまり、表示部が水平方向に配置された場合に、ユーザを装置の周囲を回り込ませたり、ユーザを椅子から立ち上がらせることもなくなる。この場合にも、表示装置１００は、ユーザビリティーを高めることができる。
【０１１８】
（表示装置１００による動作の具体例２）
上述したように、表示装置１００では、入力検出部８１０が、第２表示領域２０に表示された部分画像に対する入力操作の位置に対応する第１表示領域１０の位置を算出し、算出した位置に対応する処理を特定する。さらに、入力検出部（面積変更手段）８１０は、第２表示領域２０の面積を変更することができる。そのことを図１０、図１１により説明する。
【０１１９】
図１０は、第２表示領域２０において実行される動作を説明するための図である。図１０においては、第１表示領域１０には画像Ａが、第２表示領域２０には第１表示領域の少なくとも一部を示す部分画像Ａ３が表示されている。なお、画像Ａ３は、画像Ａの左上部分に該当し、「開く  印刷  閉じる」という文字を画像中に含む。
【０１２０】
図１０の第２表示領域２０に表示された画像Ａ３と図７（ｂ）の第２表示領域２０に表示された画像Ａ２とを比較すると、次の点で画像Ａ３と画像Ａ２とは異なる。すなわち、図１０の画像Ａ３は、画像Ａの左上部分に該当し、「開く  印刷  閉じる」という文字を画像中に含む。これに対して、図７（ｂ）の画像Ａ２は、画像Ａの左上部分に該当し、「開く  印刷」という文字を画像中に含むものの、画像Ａ３に表示されている「閉じる」という文字は含まれていない。これは、ユーザの入力操作を介して、第２表示領域２０の面積が変更されたことによる。この動作を実現するためのユーザ入力操作を図１１により説明する。
【０１２１】
図１１は、第２表示領域２０の面積を拡大する動作を説明するための図である。図示するように、ユーザは、第２表示領域２０の領域２０ａに含まれる右上角部に指を当て、そのまま右斜め上方向に指をなぞる。これにより第２表示領域２０の面積が拡大され、第２表示領域２０に表示される画像が増える。図１０の例で言えば、図１０と図７（ｂ）の第２表示領域２０を比較したときに、図１０では図７（ｂ）には表示されていない「閉じる」の文字が画像に含まれることになる。
【０１２２】
また、表示装置１００では、第２表示領域２０の表示面積を縮小することもできる。具体的には、ユーザが第２表示領域２０の右上角部に指を当て、そのまま左斜め下方向に指をなぞると、第２表示領域２０の面積が縮小し、第２表示領域２０に表示される画像が減る。あるいは、ユーザが第２表示領域２０の右上角部に指を当て上方向に指をなぞると第２表示領域２０が上方向（図面上方向）に延び、ユーザが第２表示領域２０の右上角部に指を当て下方向に指をなぞると第２表示領域２０が下方向（図面下方向）に縮む。このようにして、表示装置１００では、第２表示領域２０の表示面積を変更することができる。
【０１２３】
以下、第２表示領域２０の表示面積を変更する処理の流れを説明する。
【０１２４】
記憶部９０１には、指−命令対応情報を示すテーブルが格納されており、そのテーブルでは、２つの項目（ＸＹ座標、命令）が対応付けられている。具体的に、第２表示領域２０にはＸ軸、Ｙ軸が設定されており、入力検出部８１０は、第２表示領域２０が検知した指の像の動きをＸＹ座標により特定する。そして、入力検出部８１０は、その特定したＸＹ座標から、指の像の動きを移動ベクトルとして算出する。
【０１２５】
そして、入力検出部８１０は、指−命令対応情報において、ＸＹ座標に対応する “命令”項目を読み出す。対応する命令が「第２表示領域２０の領域２０ａに含まれる右上角部に入力操作が行われた場合に、第２表示領域２０の表示面積が変更される」と規定されていれば、入力検出部８１０は、ＸＹ座標が対応付けられた当該命令を決定し、その命令を示す入力信号をアプリケーション実行部８５０に送信する。
【０１２６】
アプリケーション実行部８５０は、入力検出部８１０から入力信号を受信して、その命令によって示される動作を実行する。そして、アプリケーション実行部８５０は、その動作の結果を示す情報である動作結果情報を画像表示制御部８６０に送信する。その結果、図７（ｂ）から図１０に至る動作が表示される。
【０１２７】
なお、右上角部の範囲は、Ｘ・Ｙ軸が設定された第２表示領域２０においてＸ・Ｙ座標の数値範囲により予め規定しておけばよい。そのため、右上角部の範囲は、可変の範囲とすることができる。
【０１２８】
また、上記の説明では、「第２表示領域２０の領域２０ａに含まれる右上角部に入力操作が行われた場合に、第２表示領域２０の表示面積が変更される」との命令が規定されていると説明した。しかしながら、第２表示領域２０の面積を変更するための入力操作は、第２表示領域２０の左上角部など他の領域において行われる構成で実現されてもよい。
【０１２９】
このとき、表示装置１００は、以下の効果を奏する。
【０１３０】
具体的には、表示装置１００において、第１表示領域１０に表示された画像を第２表示領域２０に表示させるためには、第２表示領域２０に表示される部分画像を移動させる必要がある。
【０１３１】
このとき、第２表示領域２０の表示面積が小さいと、目的とする画像に移動するまでにユーザは何度も入力操作を行う必要がある。この点、第２表示領域２０の表示面積が大きいと、ユーザが入力操作を行う回数を少なくすることができる。
【０１３２】
一方，第２表示領域２０の面積が大きすぎると、第１表示領域１０に表示される画像が第２表示領域２０によって覆われるため、第１表示領域１０に表示される画像の一覧性が低下する。
【０１３３】
そこで、表示装置１００は、第２表示領域２０の表示面積を可変にすることで、第２表示領域２０に表示される画像を移動させる際には第２表示領域２０の表示面積を大きくしてユーザの入力操作の負担を軽減することができる。また、第１表示領域１０に表示される画像の一覧性を向上させたい場合は、第２表示領域２０の表示面積を小さくすることによりユーザの入力操作の回数を軽減する。これにより第１表示領域１０への入力操作を行う場合に、第１表示領域１０への入力操作の操作性を高めることができる。
【０１３４】
（表示装置１００による動作の具体例３）
上述したように、表示装置１００では、入力検出部８１０が、第２表示領域２０に表示された部分画像に対する入力操作の位置に対応する第１表示領域１０の位置を算出し、算出した位置に対応する処理を特定する。さらに、入力検出部（位置変更手段）８１０は、第２表示領域２０の位置を変更することができる。そのことを図１２、図１３により説明する。
【０１３５】
図１２は、第２表示領域２０において実行される動作を説明するための図である。図１２においては、第１表示領域１０には画像Ａが、第２表示領域２０には第１表示領域の少なくとも一部を示す部分画像Ａ１が表示されている。なお、画像Ａ１は、図７（ａ）の第２表示領域２０に表示された画像Ａ１と同一である。
【０１３６】
図１２の第２表示領域２０と図７（ａ）の第２表示領域２０とを比較すると、表示される画像は画像Ａ１と同一であるが、次の点で異なる。すなわち、図７（ａ）では、第２表示領域２０は表示／光センサ部３００の左下に位置するのに対して、図１２では、第２表示領域２０は、表示／光センサ部３００の中央下部に位置する。これは、ユーザの入力操作を介して、第２表示領域２０の表示位置が変更されたことによる。この動作を実現するためのユーザ入力操作を図１３により説明する。
【０１３７】
図１３は、第２表示領域２０の表示位置を移動する動作を説明するための図である。図示するように、ユーザは、第２表示領域２０の領域２０ａに含まれる上辺近傍に指を当て、そのまま右方向に指をなぞる。これにより第２表示領域２０の表示位置が右側に移動する。すなわち、図７（ａ）では、表示／光センサ部３００の左下に位置していた第２表示領域２０は、図１３の入力操作を経て、表示／光センサ部３００の中央下部に移動している。
【０１３８】
また、表示装置１００では、第２表示領域２０の位置を表示／光センサ部３００中の任意の場所に移動させることができる。具体的には、ユーザが第２表示領域２０の上辺近傍に指を当てたまま所望の方向に指を移動させると、その方向に第２表示領域２０が移動する。
【０１３９】
以下、第２表示領域２０の表示位置を変更させる処理の流れを説明する。
【０１４０】
記憶部９０１には、指−命令対応情報を示すテーブルが格納されており、そのテーブルでは、２つの項目（ＸＹ座標、命令）が対応付けられている。具体的に、第２表示領域２０にはＸ軸、Ｙ軸が設定されており、入力検出部８１０は、第２表示領域２０が検知した指の像の動きをＸＹ座標により特定する。そして、入力検出部８１０は、その特定したＸＹ座標から、指の像の動きを移動ベクトルとして算出する。
【０１４１】
そして、入力検出部８１０は、指−命令対応情報において、ＸＹ座標に対応する “命令”項目を読み出す。対応する命令が「第２表示領域２０の領域２０ａに含まれる上辺近傍に入力操作が行われた場合に、第２表示領域２０の表示位置が変更される」と規定されていれば、入力検出部８１０は、ＸＹ座標が対応付けられた当該命令を決定し、その命令を示す入力信号をアプリケーション実行部８５０に送信する。
【０１４２】
アプリケーション実行部８５０は、入力検出部８１０から入力信号を受信して、その命令によって示される動作を実行する。そして、アプリケーション実行部８５０は、その動作の結果を示す情報である動作結果情報を画像表示制御部８６０に送信する。その結果、図１２の位置に移動した第２表示領域２０が表示される。
【０１４３】
なお、上辺近傍の範囲は、Ｘ・Ｙ軸が設定された第２表示領域２０においてＸ・Ｙ座標の数値範囲により予め規定しておけばよい。そのため、右上角部の範囲は、可変の範囲とすることができる。
【０１４４】
また、上記の説明では、「第２表示領域２０の領域２０ａに含まれる上辺近傍に入力操作が行われた場合に、第２表示領域２０の表示位置が変更される」との命令が規定されていると説明した。しかしながら、第２表示領域２０の表示位置を変更するための入力操作は、第２表示領域２０の下辺近傍など他の領域に対して行われてもよい。
【０１４５】
次に、表示装置１００による効果を説明する。
【０１４６】
第２表示領域２０の表示位置が固定されていると、第１表示領域１０に表示された画像であって、第２表示領域２０により覆われた画像をユーザは視認することができない。この問題を解決するには、第２表示領域２０により覆われた画像を第２表示領域２０に表示すればよいが、第２表示領域２０が第１表示領域より小さければ画像の視認性は損なわれる。
【０１４７】
そこで、表示装置１００は、第２表示領域２０の表示位置を任意の位置に変更可能としている。これにより、表示装置１００では、第１表示領域１０に表示された画像であって、第２表示領域２０により覆われた画像が存在する場合には、第２表示領域２０の表示位置を変更すればよい。これにより、表示装置１００は、第１表示領域１０に表示された画像のすべてをユーザに視認させることができる。
【０１４８】
以上、表示装置１００における種々の動作を説明した。ただし、表示装置１００は、上記の動作に限らず、さらに他の動作を組み合わせることが可能である。例えば、第２表示領域２０に表示された画像を、第２表示領域２０において拡大／縮小表示することも可能である。この動作は、第２表示領域２０の所定の領域をタッチすることで部分画像の拡大・縮小が行われるように設定すればよい。
【０１４９】
また、上述した具体例１〜３、および、他の動作の選択を、キーボードの所定のキー入力等により行う構成とすることもできる。例えば、キー「Ｆ１」を押下した場合、ユーザによる入力操作は、具体例１の動作（画像の変更）をもたらすように設定されている。キー「Ｆ２」を押下した場合、ユーザによる入力操作は、具体例２の動作（第２表示領域２０の表示面積の変更）をもたらすように設定されている。キー「Ｆ３」を押下した場合、ユーザによる入力操作は、具体例３の動作（第２表示領域２０の表示位置の変更）をもたらすように設定されている。このように、所定のキーと第２表示領域における動作とを対応付けておくことで、ユーザは、所望の動作を容易に選択することができ、これにより表示装置１００の操作性をさらに高めることができる。
【０１５０】
以上、本実施の形態に係る表示装置の種々の形態を説明した。これらの形態は、本実施の形態の一例を示すものであって、ここで説明した形態を組み合わせることも当然に可能である。
【０１５１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１５２】
本発明は、表示された画像に対する入力操作が容易な表示装置に関し、表示装置の表示部が大型のときに好適に適用することができる。
【符号の説明】
【０１５３】
１０  第１表示領域
２０  第２表示領域
１００  表示装置
３００  第１表示／光センサ部（表示部）
３００  表示／光センサ部
６００  回路制御部
７００  データ処理部
８００  主制御部
８０５  入力インターフェース制御部
８１０  入力検出部（処理特定手段、部分画像変更手段、位置変更手段、面積変更手段）
８５０  アプリケーション実行部
８６０  画像表示制御部
９０１  記憶部
【図１】
2014035708.tif 000003
【図２】
2014035708.tif 000004
【図３】
2014035708.tif 000005
【図４】
2014035708.tif 000006
【図５】
2014035708.tif 000007
【図６】
2014035708.tif 000008
【図７】
2014035708.tif 000009
【図８】
2014035708.tif 000010
【図９】
2014035708.tif 000011
【図１０】
2014035708.tif 000012
【図１１】
2014035708.tif 000013
【図１２】
2014035708.tif 000014
【図１３】
2014035708.tif 000015